(57)【要約】  本出願は、喫煙品用パッケージに関する。このパッケージは、喫煙品を収容するための容器（２）と容器にヒンジ式に取り付けられた蓋（３）であって、蓋が閉じているとき容器によって画定された喫煙品用のスペースを囲む蓋とを含む。１つの態様において、弱化された線（２９）が蓋を最初に開ける前に蓋と容器の間の接合部に沿って画定され、開封手段（９０）が弱化された線に作用して接続部に沿って容器から蓋を分離するように構成され、蓋をパックに対してヒンジ式に動かせるようにする。また本出願は、喫煙品用パッケージのブランクおよび喫煙品用パッケージの内方フレームのブランクに関する。
2015501764.tif 000002
【特許請求の範囲】
【請求項１】
喫煙品を収容する容器（２）と、容器にヒンジ式に取り付けられた蓋（３）であって、蓋が閉じているとき容器によって画定された喫煙品用のスペースを囲む蓋と、蓋を最初に開ける前に蓋と容器の間の接合部に沿って画定された弱化された線（２９）と、この線に作用して接続部に沿って容器から蓋を分離するように構成され、蓋をパックに対してヒンジ式に動かせるようにする開封手段（９０）とを含む喫煙品用パッケージ。
【請求項２】
蓋（３）は、蓋用パネル部材（１６、１８、１９）を含み、容器（２）は、容器用パネル部材（７、９、１０）を含み、弱化された線（２９）が蓋パネル部材と容器パネル部材の間に画定されていることを特徴とする請求項１に記載のパッケージ。
【請求項３】
蓋パネル部材（１６、１８、１９）と容器パネル部材（７、９、１０）は、パッケージを最初に開封する前に一体に形成されていることを特徴とする請求項２に記載のパッケージ。
【請求項４】
蓋パネル部材（１６、１８、１９）と容器パネル部材（７、９、１０）は、パッケージを最初に開封する前に一枚のシート材から形成されていることを特徴とする請求項３に記載のパッケージ。
【請求項５】
弱化された線（２９）は、前記一枚のシート材に形成された薄化された線であることを特徴とする請求項４に記載のパッケージ。
【請求項６】
薄化された線は、一枚のシート材に形成された部分的に切断された、または長尺の溝であることを特徴とする請求項５に記載のパッケージ。
【請求項７】
開封手段（９０）は、一枚のシート材の内面に沿って配されていることを特徴とする請求項６に記載のパッケージ。
【請求項８】
前記一枚のシート材は、ある物質でコート、ラミネートまたは含浸されていることを特徴とする請求項４乃至７いずれか１項に記載のパッケージ。
【請求項９】
蓋パネル部材は、蓋前パネル（１６）であり、容器パネル部材は容器前パネル（７）であり、蓋（３）は蓋前パネルから延びた側部パネル部材（１８、１９）をさらに含み、容器（２）は容器前パネルから延びた容器側部パネル部材（９、１０）をさらに含み、弱化された線（２９）は、蓋と容器側部パネル部材の間の接合部に沿って延びていることを特徴とする請求項２乃至８いずれか１項に記載のパッケージ。
【請求項１０】
開封手段（９０）は、可撓性のコードであることを特徴とする請求項１乃至９いずれか１項に記載のパッケージ。
【請求項１１】
外方フレーム（５、１００）と内方フレーム（６、１０１）をさらに含み、弱化された線（２９）は外方フレームに形成されていることを特徴とする請求項１乃至１０いずれか１項に記載のパッケージ。
【請求項１２】
開封手段（９０）はパッケージを最初に開封する前に内方フレーム（６、１０１）と外方フレーム（５、１００）の間に配されていることを特徴とする請求項１１に記載のパッケージ。
【請求項１３】
内方フレーム（６、１０１）は蓋（３）に貼り付けられた上方部分（３２）と容器に貼り付けられた下方部分（３０）を含み、弱化された線は、第１の弱化された線（２９）であり、第２の弱化された線（４６）は、パッケージを最初に開封する前に内方フレームの下方部分と上方部分の間の接合部に沿って画定されていることを特徴とする請求項１２に記載のパッケージ。
【請求項１４】
第２の薄化された線（４６）は、第１の薄化された線（２９）からオフセットしていることを特徴とする請求項１３に記載のパッケージ。
【請求項１５】
蓋（３）は、上部パネル（２２）を有し、容器（２）は底部パネル（１４）を有し、内方フレーム（６）の上方部分（３２）は上部パネル（２２）に貼り付けられ、下方部分（３０）は底部パネル（１４）に貼り付けられることを特徴とする請求項１３または１４に記載のパッケージ。
【請求項１６】
内方フレーム（６、１０１）は一枚のシート材で形成されていることを特徴とする請求項１１乃至１５いずれか１項に記載のパッケージ。
【請求項１７】
内方フレーム（６、１０１）は、ある物質でコート、ラミネートまたは含浸されていることを特徴とする請求項１６に記載のパッケージ。
【請求項１８】
第１縁部（５５、７３）を有する第１パネル部材（９ｂ、１０ｂ、１８ｂ、１９ｂ、３４、３４ｂ、３５、３５ｂ、３９、３９ｂ、４０、４０ｂ）および第２縁部（５６、７４）を有する第２パネル部材（１４ｂ、２２、３６、４２、４２ｂ）をさらに含み、フラップ（５４、６４、６６、６８、７２、８１、８３、８５、１１０、１１２、１１４、１１６）が第１縁部および第２縁部から延び、パッケージが組み立てられる際に第１および第２縁部は互いに接合されることを特徴とする請求項１に記載のパッケージ。
【請求項１９】
喫煙品を収容することができるシェルを含み、このシェルは、第１縁部（５５、７３）を有する第１パネル部材（９ｂ、１０ｂ、１８ｂ、１９ｂ、３４、３４ｂ、３５、３５ｂ、３９、３９ｂ、４０、４０ｂ）および第２縁部（５６、７４）を有する第２パネル部材（１４ｂ、２２、３６、４２、４２ｂ）、第１縁部および第２縁部から延びたフラップ（５４、６４、６６、６８、７２、８１、８３、８５、１１０、１１２、１１４、１１６）を有し、第１および第２縁部は、パッケージが組み立てられる際に互いに接合される喫煙品用パッケージ。
【請求項２０】
フラップ（５４、６４、６６、６８、７２、８１、８３、８５、１１０、１１２、１１４、１１６）は、第１パネル部材（９ｂ、１０ｂ、１８ｂ、１９ｂ、３４、３４ｂ、３５、３５ｂ、３９、３９ｂ、４０、４０ｂ）および第２パネル部材（１４ｂ、２２、３６、４２、４２ｂ）と一体に形成されていることを特徴とする請求項１９に記載のパッケージ。
【請求項２１】
第１折り曲げ線は、第１パネル部材とフラップの間で第１縁部に沿って画定され、第２折り曲げ線は、第２パネル部材とフラップの間で第２縁部に沿って画定され、フラップは第１および第２パネル部材に対して第１および第２の折り曲げ線を中心に折り曲げ可能になっていることを特徴とする請求項２０に記載のパッケージ。
【請求項２２】
フラップ（５４、６４、６６、６８、７２、８１、８３、８５、１１０、１１２、１１４、１１６）は、フラップセクションが互いに対して位置するようにパッケージが組み立てられる際にフラップの折り曲げ線（５７、７５）に沿って互いに折り曲げ可能な２つのフラップ部分（５８、５９、７６、７７）を含むことを特徴とする請求項２１に記載のパッケージ。
【請求項２３】
フラップ折り曲げ線（５７、７５）は、フラップと第１および第２パネル部材それぞれの間の折り曲げ線に対して４５度の角度で延びていることを特徴とする請求項２２に記載のパッケージ。
【請求項２４】
第１および第２折り曲げ線は、角（５３、６３、６５、６７、７０、８０、８２、８４、１１１、１１３、１１５、１１７）で交差してもよく、フラップ（５４、６４、６６、６８、７２、８１、８３、８５、１１０、１１２、１１４、１１６）がその角から延びていることを特徴とする請求項２１乃至２３いずれか１項に記載のパッケージ。
【請求項２５】
第３パネル部材（８、３３、１０２、１０３）をさらに含み、第１および第２パネル部材は、第３パネル部材の垂直縁部から延びていることを特徴とする請求項１９乃至２４いずれか１項に記載のパッケージ。
【請求項２６】
硬質の板紙材から形成されていることを特徴とする請求項１９乃至２５いずれか１項に記載のパッケージ。
【請求項２７】
喫煙品を収容する容器（２）と、容器にヒンジ式に取り付けられた蓋（３）であって、蓋を閉じた際に容器によって画定された喫煙品用のスペースを囲む蓋と、蓋を最初に開ける前に蓋と容器の間の接合部に沿って画定された弱化された線（２９）と、この線に作用して接続部に沿って容器から蓋を分離するように構成され、蓋をパックに対してヒンジ式に動かせるようにする開封手段（９０）とをさらに含むことを特徴とする請求項１９乃至２６いずれか１項に記載のパッケージ。
【請求項２８】
シェルは、外方フレーム（５、１００）および内方フレーム（６、１０１）を含み、第１および第２パネル部材（９ｂ、１０ｂ、１４ｂ、１８ｂ、１９ｂ、２２）およびフラップ（５４、６４、６６、６８）が外方フレームの一部を形成することを特徴とする請求項１９乃至２７いずれか１項に記載のパッケージ。
【請求項２９】
内方フレーム（６、１０１）は、第１内方縁部（７３）を有する第１内方フレームパネル部材（３４、３４ｂ、３５、３５ｂ、３９、３９ｂ、４０、４０ｂ）と、第２内方縁部（７４）を有する第２内方フレームパネル部材（３６、４２、４２ｂ）と、第１内方縁部および第２内方縁部から延びたフラップ（７２、８１、８３、８５、１１０、１１２、１１４、１１６）とを含み、パッケージが組み立てられる際に第１および第２内方縁部が接合されることを特徴とする請求項２８に記載のパッケージ。
【請求項３０】
シェルは外方フレーム （５、１００）および内方フレーム （６、１０１）を含み、第１および第２パネル部材（３４、３４ｂ、３５、３５ｂ、３６、３９、３９ｂ、４０、４０ｂ ４２）およびフラップ（７２、８１、８３、８５、１１０、１１２、１１４、１１６）が内方フレームの一部を形成することを特徴とする請求項１９乃至２７いずれか１項に記載のパッケージ。
【請求項３１】
内方フレーム（６、１０１）は、蓋（３）に貼り付けられる上方部分（３２）、容器（２）に貼り付けられる下方部分（３０）を含み、弱化された線（４６）は、パッケージを最初に開封する前に内方フレームの下方部分と上方部分の間の接合部に沿って画定されていることを特徴とする請求項２８乃至３０いずれか１項に記載のパッケージ。
【請求項３２】
外方フレーム（５）および内方フレーム（６）および蓋を閉じた位置に移動すると内方および外方フレームの間の開口部内に位置することが可能な蓋（３）の下側から延びたタブをさらに含むことを特徴とする請求項１乃至３１いずれか１項に記載のパッケージ。
【請求項３３】
喫煙品を収容する容器（２）と、容器にヒンジ式に取り付けられた蓋であって、蓋を閉じた際に容器によって画定された喫煙品用のスペースを囲む蓋（３）と、以下の内の２つ以上を含む喫煙品用パッケージ、
ａ）蓋を最初に開ける前に蓋と容器の間の接合部に沿って画定された弱化された線（２９）および弱化された線に作用して接合部に沿って容器から蓋を分離するように構成され、蓋をパックに対してヒンジ式に動かせるようにする開封手段（９０）、
ｂ）外方フレーム（５、１００）および内方フレーム（６、１０１）、内方フレームは蓋（３）に取り付けられた上方部分（３２）および容器（２）に貼り付けられた下方部分（３０）を含み、弱化された線は、第１の弱化された線（２９）であり、第２の弱化された線（４６）は、パッケージを最初に開封する前に内方フレームの下方部分と上方部分の間の接合部に沿って画定されている、
ｃ）第１縁部（５５、７３）を有する第１パネル部材（９ｂ、１０ｂ、１８ｂ、１９ｂ、３４、３４ｂ、３５、３５ｂ、３９、３９ｂ、４０、４０ｂ）および第２縁部（５６、７４）を有する第２パネル部材（１４ｂ、２２、３６、４２、４２ｂ）、および第１縁部および第２縁部から延びているフラップ（５４、６４、６６、６８、７２、８１、８３、８５、１１０、１１２、１１４、１１６）であり、第１および第２縁部は、パッケージが組み立てられる際に互いに接合される、
ｄ）蓋を閉じた位置に移動すると、容器の開口部内に位置することが可能な蓋の下側から延びているタブ（４８、４９）、
ｅ）容器および／または蓋が、ある物質がコートされた、ラミネートされたまたは含浸させたシート材から形成されている、またはある程度形成されている。
【請求項３４】
請求項１乃至３３いずれか１項に記載の喫煙品用パッケージのブランク。
【請求項３５】
第１縁部（５５、７３）を有する第１パネル部材（９ｂ、１０ｂ、１８ｂ、１９ｂ、３４、３４ｂ、３５、３５ｂ、３９、３９ｂ、４０、４０ｂ）および第２縁部（５６、７４）を有する第２パネル部材（１４ｂ、２２、３６、４２、４２ｂ）、第１縁部および第２縁部から延びたフラップ（５４、６４、６６、６８、７２、８１、８３、８５、１１０、１１２、１１４、１１６）を含み、第１および第２縁部は、パッケージが組み立てられる際に互いに接合される喫煙品用パッケージのブランク。
【請求項３６】
喫煙品を収容するための容器（２）を形成するように構成されたセクションおよび容器によって画定される喫煙品用のスペースを囲むために容器にヒンジ式に取り付けられ、閉じた際に蓋（３）を形成するように構成されたセクションを含み、弱化された線（２９）が容器（２）を形成するように構成されたセクションと蓋（３）を形成するように構成されたセクションの間で接合部に沿って画定されている喫煙品用パッケージのブランク。
【請求項３７】
蓋（３）に貼り付けられるように構成された上方部分（３２）と容器（２）に貼り付けられるように構成された下方部分（３０）とを含み、弱化された線（４６）が下方部分と上方部分（３０、３２）の間の接合部に沿って画定されている喫煙品用パッケージの内方フレームのブランク。
【請求項３８】
前記ブランクは、ある物質がコートされた、ラミネートされたまたは含浸させたシート材から形成されていることを特徴とする請求項３４乃至３７いずれか１項に記載の喫煙品用パッケージのブランク。
【発明の詳細な説明】
【技術分野】
【０００１】
本開示はパッケージに関し、特に喫煙品用のパッケージに関する。また本開示は、喫煙品用パッケージのブランクおよび喫煙品用パッケージの内方フレームのブランクに関する。
【背景技術】
【０００２】
喫煙品用の保護パッケージまたは容器は、よく知られており、喫煙品を損傷および／または汚染から守るためにタバコ業界で広く使用されている。このような保護パッケージは、一般には硬質のシェルを含み、このシェルには複数の喫煙品が収容され、一端にその中に収容されている喫煙品を取り出すための開口部を有る容器とこの開口部を開閉するために容器の縁部にヒンジ式に取り付けられた蓋を有する。
【０００３】
蓋と容器の間に形成された隙間およびパッケージの２つのパネルの間に形成された隙間を介した汚染物および水分の進入を防ぐために、喫煙品の周囲に配され、かつ、硬質シェルの内側に配されたホイルラッパーを硬質シェルを包み、パッケージの内容物を気密に封止する可撓性の保護カバーと共に設けることが知られている。
【０００４】
このような 保護カバーの一例として、セロファンフィルムまたはラッパーが挙げられ、これはパッケージの硬質のシェルの周囲で折りたたまれ、その周囲で封止される。このラッパーは望ましくない汚染物または水分の進入を防ぎ、喫煙品の鮮度を維持するために喫煙品パッケージを水密に封止する。
【０００５】
しかしながら、このようなホイルラッパーおよび保護カバー構造は、複雑な組み立て工程を必要とし、多くのパッケージ材の使用しなければならない。さらにパッケージを最初に開封すると、セロファンラッパーなどの保護カバーは、一般には廃棄され、従って環境的に問題になる可能性がある。
【発明の概要】
【発明が解決しようとする課題】
【０００６】
上記を鑑み、本発明は上述の問題点を解決する、または実質的に軽減する喫煙品用パッケージを提供することを目的としている。
【課題を解決するための手段】
【０００７】
本発明の実施態様では喫煙品用パッケージが提供され、これは喫煙品を収容する容器と、容器にヒンジ式に取り付けられた蓋であって、蓋を閉じているとき容器によって画定された喫煙品用のスペースを囲む蓋と、蓋を最初に開ける前に蓋と容器の間の接合部に沿って画定された弱化された線と、この線に作用して接続部に沿って容器から蓋を分離するように構成され、蓋をパックに対してヒンジ式に動かせるようにする開封手段とを含む。  
【０００８】
蓋が蓋用パネル部材を含み、容器が容器用パネル部材を含み、弱化された線が蓋パネル部材と容器パネル部材の間に画定されると有利である。
【０００９】
蓋パネル部材と容器パネル部材は、パッケージを最初に開封する前に一体に形成されていると都合がよい。
【００１０】
蓋パネル部材と容器パネル部材は、パッケージを最初に開封する前に一枚のシート材で形成されている。
【００１１】
弱化された線は、一枚のシート材に形成された薄化された線であってもよい。
【００１２】
薄化された線は一枚のシート材に形成された部分的に切断されたまたは長尺の溝であると都合がよい。
【００１３】
開封手段は一枚のシート材の内面に沿って配されているので有利である。
【００１４】
この一枚のシート材は、ある物質でコート、ラミネートまたは含浸されてもよい。
【００１５】
１つの実施態様において蓋パネル部材は、蓋前パネルであってもよく、容器パネル部材は容器前パネルであり、蓋は蓋前パネルから延びた側部パネル部材をさらに含み、容器は容器前パネルから延びた容器側部パネル部材をさらに含み、弱化された線は、蓋と容器側部パネル部材の間の接合部に沿って延びている。
【００１６】
開封手段は可撓性のコードであると都合がよい。
【００１７】
パッケージは外方フレームと内方フレームをさらに含んでもよく、弱化された線は外方フレームに形成される場合がある。
【００１８】
開封手段はパッケージを最初に開封する前に内方フレームと外方フレームの間に配されていると有利である。
【００１９】
内方フレームは蓋に貼り付けられた上方部分と容器に貼り付けられた下方部分を含み、弱化された線は、第１の弱化された線である場合があり、第２の弱化された線は、パッケージを最初に開封する前に内方フレームの下方部分と上方部分の間の接合部に沿って画定されていると都合がよい。
【００２０】
第２の薄化された線は、第１の薄化された線からオフセットしてもよい。
【００２１】
蓋は上部パネルを有してもよく、容器は底部パネルを有してもよく、内方フレームの上方部分は上部パネルに貼り付けられ、下方部分は底部パネルに貼り付けられる。
【００２２】
内方フレームは一枚のシート材で形成してもよい。
【００２３】
内方フレームは、ある物質でコート、ラミネートまたは含浸されてもよい。
【００２４】
１つの実施態様においてパッケージは、第１縁部を有する第１パネル部材および第２縁部を有する第２パネル部材をさらに含んでもよく、フラップが第１縁部および第２縁部から延びてもよく、パッケージが組み立てられる際に第１および第２縁部は互いに接合される。
【００２５】
本発明の実施態様の別の態様では喫煙品用パッケージが提供され、これは喫煙品を収容することができるシェルを含み、このシェルは、第１縁部を有する第１パネル部材および第２縁部を有する第２パネル部材、第１縁部および第２縁部から延びたフラップを有し、第１および第２縁部は、パッケージが組み立てられる際に互いに接合される。
【００２６】
フラップは、第１および第２パネル部材と一体に形成されてもよい。
【００２７】
１つの実施態様において第１折り曲げ線は、第１パネル部材とフラップの間で第１縁部に沿って画定され、第２折り曲げ線は、第２パネル部材とフラップの間で第２縁部に沿って画定され、フラップは第１および第２パネル部材に対して第１および第２の折り曲げ線を中心に折り曲げ可能になっている。
【００２８】
フラップは、フラップセクションが互いに対して位置するようにパッケージが組み立てられる際にフラップの折り曲げ線に沿って互いに折り曲げ可能な２つのフラップ部分を含むと都合がよい。
【００２９】
フラップ折り曲げ線は、フラップと第１および第２パネル部材それぞれの間の折り曲げ線に対して４５度の角度で延びていると有利である。
【００３０】
１つの実施態様において第１および第２折り曲げ線は、角で交差してもよく、フラップはその角から延びている。
【００３１】
パッケージは、第３パネル部材をさらに含んでもよく、第１および第２パネル部材は、第３パネル部材の垂直縁部から延びている。
【００３２】
パッケージは硬質の板紙材から形成されると有利である。
【００３３】
パッケージは、喫煙品を収容する容器と、容器にヒンジ式に取り付けられた蓋であって、蓋を閉じた際に容器によって画定された喫煙品用のスペースを囲む蓋と、蓋を最初に開ける前に蓋と容器の間の接合部に沿って画定された弱化された線と、この線に作用して接続部に沿って容器から蓋を分離するように構成され、蓋をパックに対してヒンジ式に動かせるようにする開封手段とを含む。
【００３４】
シェルは内方フレームおよび外方フレームを含み、第１および第２パネル部材およびフラップが外方フレームの一部を形成すると都合がよい。
【００３５】
内方フレームは、第１内方縁部を有する第１内方フレームパネル部材と、第２内方縁部を有する場合がある第２内方フレームパネル部材と、第１内方縁部および第２内方縁部から延びたフラップとを含み、パッケージが組み立てられる際に第１および第２内方縁部が接合されると有利である。
【００３６】
シェルは内方フレームおよび外方フレームを含み、第１および第２パネル部材およびフラップが内方フレームの一部を形成すると都合がよい。
【００３７】
１つの実施態様において内方フレームは、蓋に貼り付けられた上方部分、容器に貼り付けられた下方部分を含み、弱化された線は、パッケージを最初に開封する前に内方フレームの下方部分と上方部分の間の接合部に沿って画定されてもよい。
【００３８】
パッケージは、内方フレームおよび外方フレームおよび蓋を閉じた位置に移動すると内方および外方フレームの間の開口部内に位置することが可能な蓋の下側から延びたタブをさらに含んでもよい。
【００３９】
本発明の実施態様の別の態様では喫煙品用パッケージが提供され、これは喫煙品を収容する容器と、容器にヒンジ式に取り付けられた蓋であって、蓋を閉じた際に容器によって画定された喫煙品用のスペースを囲む蓋と、以下の内の２つ以上を含む、
ａ）蓋を最初に開ける前に蓋と容器の間の接合部に沿って画定された弱化された線および弱化された線に作用して接合部に沿って容器から蓋を分離するように構成され、蓋をパックに対してヒンジ式に動かせるようにする開封手段、
ｂ）外方フレームおよび内方フレーム、内方フレームは蓋に貼り付けられた上方部分および容器に貼り付けられた下方部分を含み、弱化された線は、第１の弱化された線であり、第２の弱化された線は、パッケージを最初に開封する前に内方フレームの下方部分と上方部分の間の接合部に沿って画定されている、
ｃ）第１縁部を有する第１パネル部材および第２縁部を有する第２パネル部材、および第１縁部および第２縁部から延びているフラップであり、第１および第２縁部は、パッケージが組み立てられる際に互いに接合される、
ｄ）蓋を閉じた位置に移動すると、容器の開口部内に位置することが可能な蓋の下側から延びているタブ、
ｅ）容器および／または蓋が、ある物質がコートされた、ラミネートされたまたは含浸させたシート材から形成されている、またはある程度形成されている。
【００４０】
本発明の実施態様の別の態様では喫煙品用パッケージのブランクが提供される。
【００４１】
本発明の実施態様の別の態様では喫煙品用パッケージのブランクが提供され、これは第１縁部を有する第１パネル部材および第２縁部を有する第２パネル部材、第１縁部および第２縁部から延びたフラップを含み、第１および第２縁部は、パッケージが組み立てられる際に互いに接合される。
【００４２】
本発明の実施態様の別の態様では喫煙品用パッケージのブランクが提供され、これは喫煙品を収容するための容器を形成するように構成されたセクションおよび容器によって画定される喫煙品用のスペースを囲むために容器にヒンジ式に取り付けられ、閉じた際に蓋を形成するように構成されたセクションを含み、弱化された線が容器を形成するように構成されたセクションと蓋を形成するように構成されたセクションの間で接合部に沿って形成されている。
【００４３】
本発明の実施態様の別の態様では喫煙品用パッケージの内方フレームのブランクが提供され、これは蓋に貼り付けられるように構成された上方部分と容器に貼り付けられるように構成された下方部分とを含み、弱化された線が下方部分と上方部分の間の接合部に沿って形成されている。
【００４４】
ブランクは、ある物質がコートされた、ラミネートされたまたは含浸させたシート材から形成すると有利である。
【００４５】
本発明の実施態様を添付図面を参照して例示を目的として説明する。
【図面の簡単な説明】
【００４６】
【図１】本発明の実施態様による容器と蓋を有する閉じた状態に示されている喫煙品用パッケージの斜視図である。
【図２】図１に示した喫煙品用パッケージの開いた状態の斜視図である。
【図３】図１に示した喫煙品用パッケージの閉じた状態の斜視図であり、ヒンジ線と内方フレームの一部を波線で示している。
【図４】図１に示した喫煙品用パッケージの外方フレームを形成するブランクの平面図である。
【図５】図１に示した喫煙品用パッケージの内方フレームを形成するブランクの平面図である。
【図６】別の実施態様による喫煙品用パッケージの外方フレームを形成するブランクの平面図である。
【図７】図６に示した喫煙品用パッケージの内方フレームを形成するブランクの平面図である。
【発明を実施するための形態】
【００４７】
図１から５を参照すると、喫煙品用のヒンジ式蓋付きパッケージまたはパック１が示されており、これは互いにヒンジ式に取り付けられた容器２と蓋３を含む。
【００４８】
本明細書中で使用する「喫煙品」なる用語は、タバコ、タバコ派生物、膨張タバコ、再生タバコまたはタバコ代替え品をベースにしているかに拘わらず紙巻きタバコ、シガーおよびシガリロなどの喫煙可能な製品および発熱するが燃焼しない製品を含むあらゆるタバコ産業製品を含むが、これらに限定されるものではない。
【００４９】
パックは平行６面体のシェル４から形成されている。シェル４は、パック１の外面を画定する外方フレーム５および外方フレーム５に収容される内方フレーム６（図２参照）を含む。外方フレーム５のブランクを図４に示し、内方フレーム６のブランクを図５に示す。図４および５の波線は、折り曲げ線を表し、実線は、切れ目を表す。図４および５の２点鎖線は、以下に明らかにするような薄化された線を表す。
【００５０】
容器２は、前パネル７と、前パネル７と平行であるが、これから離れて位置する後パネル８と、前および後パネル７、８の間でこれらに対して垂直に延び、そしてこれらを側縁部１２、１３に沿って接続する一組の平行な対向した側部パネル９、１０と、前、後および側部パネル７、８、９、１０のそれぞれの底端部を横断して延び、容器２をその底端部で囲む底部パネル１４とを含む。容器２の前パネル７および後パネル８は、それぞれ外方フレーム５の各パネル部材であり、側部パネル９、１０は、それぞれ以下に説明するように互いに重ねられ、接着される外方フレーム５の外方および内方側部パネル部材９ａ、１０ａ、９ｂ、１０ｂから形成される。同様に底部パネル１４は、以下に説明するように互いに重ねられ、接着される外方および内方底部パネル部材１４ａ、１４ｂから形成される。  
【００５１】
蓋３は、前パネル１６と、前パネル１６と平行であるが、これから離れて位置する後パネル１７と、これら前および後パネル１６、１７の間でこれらに対して垂直に延び、そしてこれらを側縁部２０、２１に沿って接続する一組の平行な対向した側部パネル１８、１９と、前、後および側部パネル１６、１７、１８、１９の上端部を横断して延び、蓋３をその上端部で囲む上部パネル２２とを含む。蓋３の前パネル１６、後パネル１７および上部パネル２２は、それぞれ外方フレーム５の各パネル部材であり、蓋側部パネル１８、１９は、それぞれ以下に説明するように互いに重なられ、接着される外方フレーム５の外方および内方側部パネル部材１８ａ、１９ａ、１８ｂ、１９ｂから形成される。
【００５２】
容器の後パネル８および蓋の後部パネル１７は、パックの底部に対して平行に延びたヒンジ線２４によって接合されている。
【００５３】
パックが閉じた状態にあるとき、蓋３はシェル４によって画定された喫煙品収容スペース２５を囲む。その閉じた状態では、蓋前パネル１６は、パック１の底部に平行な当接線２６に沿って容器の前パネル７と当接する。蓋側部パネル１８、１９は、それぞれ当接線２７および２８に沿って対応する容器側部パネル９、１０と当接する。対応する前および側部パネル７、９、１０、１６、１８、１９間の当接線２６、２７、２８は、蓋３と容器２との間の接合部２９の線全体からなるセクションを形成する。ヒンジ線２４は、容器および蓋の前パネル７、１６との間の当接線２６より高い位置にあり（パッケージの上部パネル２２のより近くに）、これにより蓋と容器側部パネルとの間の当接線２７、２８は、パッケージの前方の方へと下方に斜めに傾斜している。
【００５４】
外方および内方フレーム５、６は、硬質な弾性材、例えば板紙またはプラスチックから形成され、これによりヒンジ式蓋付きパッケージは、内容物がパッケージ内に収容されているかいないかに拘わらずその形状を維持し、よって喫煙品収容スペースに配された内容物は保護される。
【００５５】
パックが開封された状態にあるとき、蓋３はヒンジ線２４の周囲で枢動する。これにより蓋前パネル１６が容器２の前パネル７から離れ、同様に蓋側部パネル１８、１９も容器側部パネル９、１０から離れ、これにより喫煙品収容スペース２５内の内容物に触れることができる。
【００５６】
パック１が外方および内方フレーム５、６を形成するブランクから組み立てられると（図４および５に示す）、蓋前パネル１６は、当接線２６に沿って容器前パネル７に貼り付けられており、蓋側部パネル１８、１９は、対応する当接線２７、２８に沿って容器側部パネル９、１０に貼り付けられている。最初にパックを開ける前は、接合線２９は外方フレーム５のブランクの弱化された線によって形成されている。本実施態様では外方フレーム５は、例えば板紙などの材料からなる一枚のブランクから形成される。ブランク材は、一枚のシートから形成され、これはブランクの材料自体を介した汚染物の進入を防ぐために、ある物質でコート、ラミネートまたは含浸されてもよい。弱化された線は、ブランク材の一枚のシートに刻みをつける、または部分的に切れ目を入れることによって形成される薄化された線である。このような刻みをつける、または部分的に切れ目を入れることによってシート材に長尺のくぼみまたは溝を形成する。当然のことながら薄化された線は、ブランク材の断面の一部を延びるが、ブランク材の断面を完全に延びていない。従って接合線は、以下に明らかにするようにパッケージの内容物への汚染物の進入に対する防御となる。
【００５７】
図２は、蓋３がヒンジ線２４に沿って開いた状態に枢動した図１のパックを示している。これにより喫煙品収容スペース２５内の内容物に触れることができ、パッケージの内方フレーム６を露出させる。内方フレーム６は、下方部分３０と上方部分３２とを含む。内方フレーム６の下方部分３０は、下方部分の前パネル３３と、下方分の前パネル３３の対向側部から延びた２つの対向する下方部の側部パネル３４、３５と、下方部分前パネル３３の下方端部から延びた下方パネル３６を有する（図５参照）。内方フレーム６の上方部分３２は、上方部分の前パネル３８と、上方部分の前パネル３８の対向側部から延びた２つの対向する上方部分の側部パネル３９、４０と、上方部分前パネル３８の上端から延びた上方部分の上部パネル４２とを有する。下方部分前パネル３３、２つの対向する下方部分側部パネル３４、３５および下方パネル３６は、それぞれ内方フレーム６の各パネル部材である。同様に上方部分前パネル３８、２つの対向する上方部分側部パネル３９、４０および上方部分上部パネル４２は、それぞれ内方フレーム６の各パネル部材である。
【００５８】
パッケージが組み立てられると、内方フレーム６は、内方フレーム５の下方部分前パネル３３を容器前パネル７の内面に、そして上方部分前パネル３８を蓋前パネル１６の内面にのり付けするためにパッケージの外方フレーム５に接着剤によって貼り付けられる。さらに内方フレーム５の下方部分側部パネル３４、３５は、それぞれ対応する容器側部パネル９、１０の内面にのり付けされ、内方フレーム５の上方部分側部パネル３９、４０は、それぞれ対応する蓋側部パネル１８、１９の内面に糊付けされる。さらに内方フレーム６の下方部部分下方パネル３６は、接着剤を使用して底部パネル１４の内面に貼り付けられ、内方フレーム６の上方部分上部パネル４２は、接着剤を使用して上部パネル２２の内面に貼り付けられる。
【００５９】
内方フレーム６の下方部分３０の前パネル３３と側部パネル３４、３５は、これらが接着される外方フレーム５の対応する容器前パネル７および側部パネル９、１０上を延び、従って外方フレーム５から延び、同様に内方フレーム６の上方部分３２の前パネル３８と側部パネル３９、４０は、蓋３の接合線２９から後退している。内方フレーム６は、最初にパックを開封した後パックが閉じた状態にあるとき、当接線２６、２７、２８に沿ったあらゆる隙間に対する裏カバーとしての役割を果たす。これによってパッケージの内側の紙巻きタバコまたは他の喫煙品が視界に露出し、製品の外観を損なうのを妨げる。また内方フレーム６は、パックからのおよび／またはパックへの進入および／または放出に対するバリアーとしても機能し、パックに強度を加え、蓋３を閉じた状態に維持するのに役立つ。
【００６０】
パッケージがその閉じた状態にあるとき、蓋３はシェル４によって画定された喫煙品収容スペース２５を囲み、外方フレーム５の対応する前パネル７と側部パネル９、１０を越えて突出する内方フレーム６の下方部分３０の前パネル３３と側部パネル３４、３５のセクションは、蓋３内に収容され、蓋３の前パネル１６および側部パネル１８、１９それぞれに接して位置する。上方部分前パネル３８は、当接線４３に沿って下方部分前パネル３３と当接する。上方部分側部パネル３９、４０は、それぞれ当接線４４および４５に沿って対応する下方部分側部パネル３４、３５と当接する。当接線４３、４４、４５は、内方フレーム６の下方および上方部分３０、３２間の接合部４６の全体線のセクションを形成する。当然のことながら内方フレーム６の接合線４６は、パッケージがその閉じた状態にあるときは、外方フレームの接合線２９からオフセットしている。
【００６１】
パック１が外方および内方フレーム５、６を形成するブランクから組み立てられると、内方フレームの下方部分３０は、パッケージを最初に開封する前に内方フレームの接合線４６に沿って内方フレームの上方部分３２に貼り付けられている。即ち、下方部分前パネル３３は、当接線４３に沿って上方部分前パネル３８に貼り付けられており、下方部分側部パネル３４、３５は、対応する当接線４４、４５に沿って上方部分側部パネル３９、４０に貼り付けられている。内方フレームの接合線４６は、内方フレーム６のブランクの弱化された線によって形成されている。本実施態様では内方フレーム５は、一枚のシート材、例えば板紙から形成され、これはブランクの材料自体を介した汚染物の進入を防ぐために、ある物質でコート、ラミネートまたは含浸されてもよい。弱化された線は、ブランク材の一枚のシートに刻みをつける、または部分的に切れ目を入れることによって形成される薄化された線である。これとは別に薄化された線は、内方フレーム５を通って形成された一連のパーフォレーションによって形成される。
【００６２】
図２は蓋３が開いた状態のパックを示している。この図から蓋が蓋３の側部パネル１８を越えて延びた湾曲した延長部またはタブ４８を含むことが分かる。蓋３の対向する側部パネル１９にもこのような湾曲した延長部またはタブ４９が設けられている。
【００６３】
各タブ４８、４９は、対応する蓋側部パネル１８、１９と一体に形成され、その底端部から延び、側部パネル１８、１９と同一面にある。本実施態様では各蓋側部パネル１８、１９は、蓋の外方および内方側部パネル部材１８ａ、１９ａ、１８ｂ、１９ｂから形成され、各蓋側部パネル部材１８ａ、１９ａは、蓋前パネル１６の側縁部２０から延び、蓋後部パネル１７の側縁部２１から延びた対応する蓋内方側部パネル１８ｂ、１９ｂと重なり、これに接着される。パッケージが組み立てられる際、対応する外方および内方側部パネル部材１８ａ、１９ａ、１８ｂ、１９ｂは、接着剤を使用して互いに貼り付けられ、蓋側部パネル１８、１９を形成する。各タブ４８、４９は、それぞれ蓋内方側部パネル部材１８ｂ、１９ｂの延長部である。
【００６４】
各容器側部パネル９、１０は、容器側部パネル部材９ａ、１０ａ、９ｂ、１０ｂから形成され、各容器外方側部パネル部材９ａ、１０ａは容器前パネル７の側縁部１２から延び、容器後部パネル８の側縁部から延びた容器内方側部パネル部材９ｂ、１０ｂと重なり、これらに接着される。パッケージが組み立てられる際、対応する容器の外方および内方側部パネル部材９ａ、９ｂ、１０ａ、１０ｂは、接着剤を使用して互いに貼り付けられ、容器側部パネル９、１０を形成する。各容器外方側部パネル部材９ａ、９ｂの上端は、各対応する容器内方側部パネル部材１０ａ、１０ｂの上端を越えて延びている。従って内方フレーム６を外方フレーム５に貼り付けると、凹部が容器２の外方および内方フレーム５、６の間に形成される。
【００６５】
蓋３を閉じると、タブ４８、４９は、対応する容器側部パネル９、１０と内方フレーム６の下方部分側部パネル３４、３５の間をスライドする。タブ４８、４９は、各タブ４８、４９の角５０が容器前パネル７の上部が各容器側部パネル９、１０の上部と接触する容器２の角５２より僅かに下に位置するような大きさおよび形状を有する。このように容器前パネル７とタブ４８が重なることによって、蓋３が開いてしまうことに対する抵抗力を供する。この抵抗力は、外方および内方フレーム５、６に接して位置する各タブ４８、４９の側部によっても供される。従ってタブ４８、４９は、蓋３を容器２に対して完全に閉じた状態に維持する耐遊び機構としての役割を果たす。
【００６６】
消費者が適当な力を加えると、パッケージが僅かに変形し、タブ４８、４９が容器前パネル７から外れ、これにより蓋３を開くことが可能になる。変形の度合いは、蓋を開いた後、パッケージがその初期の形状に弾性力によって戻るのに充分小さいものである。同様の一時的な変形が蓋を閉じた際に再度生じ、これによりタブ４８、４９がその閉じた位置に戻ることになる（これにより耐遊び機構が再度設定される）。
【００６７】
図４では容器底部パネル１４が外方および内方底部パネル部材１４ａ、１４ｂから形成される。容器前パネル７の底端部から延びた外方底部パネル部材１４ａは、容器後パネル８の底端部から延びた内方底部パネル部材１４ｂと重なり、接着される。パッケージが組み立てられる際、対応する外方および内方底部パネル部材１４ａ、１４ｂは、接着剤を使用して互いに貼り付けられ、底部パネル１４を形成する。
【００６８】
図４に示す外方フレームブランク５を参照すると、蓋後パネル１７の上方の角５３には進入制限フラップ５４が設けられている。上方の角５３は、蓋の後パネル１７、蓋内方側部パネル部材１８ｂおよび蓋上部パネル２２の間の折り曲げ線の交差によって画定されている。フラップ５４は、上方の角５３から延び、蓋内方側部パネル部材１８ｂの上縁部５５と蓋上部パネル２２の側縁部５６からそしてこれらに沿って延びている。フラップ５４は、蓋内方側部パネル部材１８ｂおよび蓋上部パネル２２と一体に形成され、折り曲げ線がフラップ５４と蓋内方側部パネル部材５４の間およびフラップ５４と蓋上部パネル２２の間の各縁部に沿って形成されている。
【００６９】
フラップ５４は、上方の角５３から外方に延び、フラップ５４を蓋内方側部パネル部材１８ｂの上縁部５５とフラップ折り曲げ線５７の間で延びている第１フラップ部分５８と蓋上部パネル２２の側縁部５６とフラップ折り曲げ線５７の間で延びている第２フラップ部分５９とに分割するフラップ折り曲げ線５７を有する。本実施態様ではフラップ折り曲げ線５７は、蓋内方側部パネル部材１８ｂの上縁部５５と蓋上部パネル２２の側縁部５６から４５度の角度で延びている。切り欠き６０が上方の角５３に対向するフラップ５４の角に形成されている。
【００７０】
パッケージが組み立てられ、外方フレーム５のパネルが折り曲げ線の周囲で互いに対して折り曲げられると、蓋内方側部パネル部材１８ｂと蓋上部パネル２２が蓋の後部パネル１７を有する折り曲げ線の周囲で互いに対して折り曲げられる。蓋内方側部パネル部材１８ｂの上縁部５５と蓋上部パネル２２の側縁部５６は、接合され、互いに当接して、パッケージの外方上縁部６２を形成する（図１参照）。上縁部５５と側縁部５６が接合されると、第１および第２フラップ部分５８、５９は、これらの縁部とフラップ折り曲げ線５７の周囲で互いに対して折り曲げられ、これによりフラップ部分５８、５９の対向面が互いに当接する。フラップ５４は、接着剤を使用して第１および第２フラップ部分５８、５９を互いにのり付けし、接着剤を使用して第２フラップ部分５９を蓋上部パネルの内面にのり付けするために蓋上部パネル２２に貼り付けられる。従って、蓋内方側部パネル部材１８ｂの上縁部５５と蓋上部パネル２２の側縁部５６は、互いに当接した状態に維持され、パックの外方上方側縁部６２を形成する。
【００７１】
上記構成の利点は、切り欠きが上方の角５３まで延びてないので、外方フレーム５を組み立てた際に上方の角５３に、または上方の角５３から離れて外方上方側縁部６２に沿って延びる隙間がないということである。従って汚染物の進入が妨げられる。
【００７２】
蓋の後部パネル１７の対向する上方の角６３にもこのような進入制限フラップ６４が設けられている。同様に容器後パネル８の底部の角６５にこのような進入制限フラップ６６が設けられており、容器後パネル８の対向する底部の角６７にもこのような進入制限フラップ６８が設けられている。従ってパッケージが組み立てられる際、蓋後パネル１７の上方の角５３、６３それぞれにある進入制限フラップ５４、６４は、これら角の周囲で折り曲げられ、蓋上部パネル２２に接着剤で固定され、容器後パネル８の底部の角６５、６７それぞれにある進入制限フラップ６６、６８は、これら角の周囲折り曲げられ、容器の内方パネル部材１４ｂに接着剤で固定される。従って当然のことながら、これら角５３、６３、６５、６７それぞれでおよびこれらの角から離れるようにパックの側縁部に沿った汚染物の進入が妨げられる。
【００７３】
図５に示した内方フレームブランク６を参照すると、上方部分前パネル３８の上方の角には進入制限フラップ７２が設けられている。上方の角７０は、上方部分前パネル３８、上方部分上部パネル４２および上方部分側部パネル３９の１つの間の折り曲げ線の交差によって画定されている。フラップ７２は、上方の角７０から、そして上方部分側部パネル３９の上縁部７３および上方部分上部パネル４２の側縁部７４からこれらに沿って延びている。フラップ７２は上方部分側部パネル３９と上方部分上部パネル４２と一体に形成され、折り曲げ線がフラップ７２と各パネル３９、４２の間に形成されている。
【００７４】
フラップ７２は、上方の角７０から外方に延び、フラップ７２を上方部分側部パネル３９の上縁部７３とフラップ折り曲げ線７５の間に延びた第１フラップ部分７６と上方部分上部パネル４２の側縁部７４とフラップ折り曲げ線７５の間に延びた第２フラップ部分７７に分割するフラップ折り曲げ線７５を有する。本実施態様ではフラップ折り曲げ線７５は、上方部分側部パネル３９の上縁部７３と上方部分上部パネル４２の側縁部７４から４５度の角度で延びている。切り欠き７８が上方の角７０に対向するフラップ７２の角に形成されている。
【００７５】
パックが組み立てられ、内方フレーム６のパネルがその折り曲げ線の周囲で互いに折り曲げられると、上方部分側部パネル３９と上方部分上部パネル４２は、上方部分前パネル３８を有する折り曲げ線の周囲で互いに対して折り曲げられる。上方部分側部パネル３９の上縁部７３と上方部分上部パネル４２の側縁部７４は、互いに合わせられ、当接し、内方上方側縁部（図示せず）を形成する。上縁部７３と側縁部７４が接合されると、第１および第２フラップ部分７６、７７は、互いに対してこれらの縁部と折り曲げ線７５の周囲で折り曲げられ、これによりフラップ部分７６、７７の対向面が互いに当接する。フラップ７２は、接着剤を使用して第１および第２フラップ部分７６、７７を互いにのり付けするためにそして接着剤を使用して第２フラップ部分７７を上方部分上部パネル４２の内面にのり付けするために上方部分上部パネル４２に貼り付けられる。従って、上縁部７３と側縁部７４は、互いに当接した状態に維持される。
【００７６】
上記構成の利点は、切り欠きが上方の角７０まで延びていないので、内方フレーム６が組み立てられた際に、上方の角７０にまたは上方の角７０から離れるように内方上部側縁部に沿って延びる隙間がないということである。従って汚染物の進入が制限される。パックの組み立ての際、内方フレーム６は外方フレーム５に収容され、これに接着され、従って当然のことながら外方フレーム５の上方の角５３は、内方フレーム６の上方の角７０に対向する上部側縁部６２の端部に位置する（図３参照）。従って当然のことながら、これら角のそれぞれにおいておよびこれら縁部に沿って形成される隙間がないので、これら２つの角それぞれにおいておよび上方側縁部に沿った汚染物の進入が妨げられる。
【００７７】
上方部分前パネル３８の対向する上方の角８０にもこのような進入制限フラップ８１が設けられている。同様に下部前パネル３０の下方の角８２にもこのような進入制限フラップ８３が設けられており、下部前パネル３０の対向する下方の角８４にもこのような進入制限フラップ８５が設けられている。従ってパッケージが組み立てられる際、上方部分前パネル３８の上方の角７０、８０それぞれにある進入制限フラップ７２、８１は、これらの角の周囲で折り曲げられ、上部上方パネル３２に接着剤で固定され、下方部分前パネル３３の下方の角８２、８４それぞれにある進入制限フラップ８３、８５は、これらの角の周囲で折り曲げられ、下方パネル３６に接着剤で固定される。従って当然のことながら、水分または別の物質などの汚染物の進入がパッケージの各角で、そしてこれら角の間のパッケージの側縁部に沿って妨げられる。 
【００７８】
パッケージが組み立てられ、蓋３を最初に開ける前に、蓋３は蓋前パネル１６が容器前パネル７に取り付けられ、蓋外方側部パネル部材１８ａ、１８ｂが容器の外方側部パネル部材９ａ、１０ａに取り付けられた状態で接合線２９に沿って容器２に貼り付けられる。蓋前パネル１６は、容器前パネル７と一体に形成され、パッケージ前壁８６を形成し、これらは接合線２９の一部を形成する前壁８６に亘って延びた弱化された線によって分離可能に画定されている。同様に蓋の各外方側部パネル部材１８ａ、１９ａは、対応する容器の外方側部パネル部材９ａ、１０ａと一体に形成され、パック外方側壁８７、８８を形成し、これらは接合線２９の一部を形成するパックの各外方側壁８７、８８に亘って延びた弱化された線によって分離可能に画定されている。
【００７９】
開封手段９０が外方フレーム５と内方フレーム６の間に配されている。開封手段９０は、糸、コードまたは開封帯などの可撓性の長尺の部材である。パッケージが組み立てられて、パッケージが開封される前は、開封手段９０は接合線２９の経路に沿って位置し、接合線２９を形成する弱化された線が形成されているシート材の内面に接して位置するように配置されている。特に本実施態様では開封手段９０は、容器前パネル７と蓋前パネル１６の間の当接線に沿ってパックの前壁８６の内面に接して位置している。開封手段９０もまた各パックの外方側壁８７、８８の内面に接して、各容器外方側部パネル部材９ａ、１０ａと蓋の外方側部パネル部材１８ａ、１９ａの間の当接線２７、２８に沿って位置している。従って開封手段は、外方および内方フレーム５、６の間に配される。
【００８０】
本実施態様では外方フレーム５は、それぞれ蓋内方側部パネル部材１８ｂ、１９ｂから延びたタブ４８、４９を有し、従って当然のことながら、開封手段９０は、蓋の各外方側部パネル部材１８ａ、１９ａおよび容器外方側部パネル部材９ａ、１０ａを形成する外方壁と対応するタブ４８、４９の間に位置する。
【００８１】
開封手段９０の自由端は、接合線の一端でパックから延びている。同様に開封手段９０のもう一方の自由端は、接合線２９の対向する端部でパックから延びている。別の実施態様において自由端の１つは、外方および内方フレーム５、６の間に固定されて配される。上述の実施態様では接合線はパックの前壁および２つの側壁に沿って延びているが、当然のことながら別の実施態様では接合線２９は、パックの１つ以上の壁にのみに沿って延びてもよい。
【００８２】
パッケージが、喫煙品がパックに収容されるように喫煙品、例えば一箱分の紙巻きタバコの周囲で最初に組み立てられると、汚染物の進入が容器および蓋の角で隙間が形成されるのを防ぐ進入制限フラップによって妨げられる。さらに汚染物の進入は、蓋が蓋と容器の間でパックの周囲に延びた接合線に沿って容器と一体に形成されることによって制限される。加えて汚染物の進入は、内方フレームの上方部分が内方フレームの上方および下方部分の間の接合線に沿って内方フレームの下方部分に貼り付けられていることによって制限される。
【００８３】
上述の特徴は、それぞれパック内への汚染物の進入を制限するものであるが、当然のことながらこれらの特徴を組み合わせることによってさらにパック内への汚染物の進入を制限する。例えば、進入制限フラップと蓋が接合線に沿って容器に取り付けられることを組み合わせることによって、汚染物が進入し、通過できるような隙間がパックに生じるのを妨げ、内方フレームの接合線を形成する弱化された線が蓋と容器の間の接合線を形成する弱化された線からオフセットすることで容器と蓋の接合部を介した汚染物の進入の防止に役立つ。
【００８４】
上述したようにパッケージを開くためにユーザーは、容器を保持し、開封手段の自由端の１つをつかむ。それからユーザーは、開封手段９０の自由端をパックから離れるように接合線２９に亘って引っ張り、これにより開封手段は、接合線２９を形成する弱化された線に沿って引かれ、蓋を分離する。
【００８５】
開封手段９０がユーザーによってパッケージに亘って引っ張られると、接合線が薄化された線として形成されていることによって、開封手段は、接合線２９からなる経路を通る。この構成によりユーザーはパックを開封しやすくなり、パッケージを開封する前の汚染物の進入に対する封止を維持する。開封手段９０が接合線２９の長さに沿って引っ張られたら、蓋前パネル１６および蓋側部パネル１８、１９は、容器前パネル７および容器側部パネル９、１０それぞれから分離させる。蓋は、従って容器の後パネル８と蓋の後部パネル１７の間のヒンジ線２４を中心に容器にヒンジ式に取り付けられている。しかしながら、この段階では蓋３は、蓋３に接着されている内方フレーム６の上方部分３２が、容器２に接着されている内方フレーム６の下方部分３０に貼り付けられていることによって、ヒンジ線２４を中心に回転するのを妨げられている。ユーザーが適度な力を蓋に作用させると、内方フレーム６の上方部分３２は、上方および下方部分３０、３２の間の接合部４６の線を形成する弱化された線に沿って下方部分３０から分離する。この下方および上方部分が張り付いた状態が解除されたら、蓋３はその開いた位置へと容器２に対して自由に回転し、パックに収容されている喫煙品に触れることができる。
【００８６】
蓋３を閉じると、タブ４８、４９は対応する容器側部パネル９、１０と内方フレーム６の下方部分側部パネル３４、３５の間に配置される。容器前パネル７と各タブ４８、４９とが重なることによって、蓋３が開いてしまうことに対するさらなる抵抗力を供し、これは蓋３に対して繰り返し行われる開閉において維持される。外方および内方フレーム５、６に接して位置する各タブ４８、４９の側部によっても抵抗力が供される。従って、タブ４８、４９は、パックが最初に開封された後、蓋３を容器２に対して完全に閉じた状態に維持する耐遊び機構としての役割を果たす。この蓋の下方端部から延びたタブ４８、４９の構成によって、内方シェルのパネルから横方向に延びたタブが設けられた場合、汚染物が通過するかもしれない隙間を残すであろうタブを生じさせる切り込みをパックに形成することなく耐遊び機構が確実にパックに設けられる。
【００８７】
図６および７を参照すると、喫煙品用パッケージの別の実施態様の外方フレーム１００と内方フレーム１０１を形成するブランクが示されている。この実施態様による喫煙品用パッケージの特徴および構成は、上記で詳しく説明した喫煙品用パッケージの特徴および構成とほぼ同じであり、従ってその詳細な説明は、ここでは省略する。さらに上記実施態様で説明した部材および特徴に対応する部材および特徴には同じ参照番号を付してある。しかしながら本実施態様では、内方フレーム１０１は、蓋３がその閉じた状態にあるとき、パッケージに収容された喫煙品の周囲を完全に延びるように構成されている。
【００８８】
図６および７の波線は、折り曲げ線を表し、実線は、切れ目を表している。図６および７の１点鎖線は、以下に明らかにするような弱化された線を表している。
【００８９】
図６を参照すると外方フレーム１００は、上述の外方フレーム５とほぼ同じだが、本構成において、角５３、６３、６５、６７に対向する各進入制限フラップ５４、６４、６６、６８の角に切り欠きが形成されていない。この構成の利点は、パックに収容されている喫煙品への汚染物の進入が少なくなるということである。当然のことながら、ここで説明した外方フレームは、以下に説明する内方フレーム１０１と共に使用してもよく、これとは別に上述の内方フレーム６と共に使用してもよく、従って上述の外方フレーム５と互換性がある。
【００９０】
図７を参照すると、内方フレーム１０１は、上述の内方フレーム６とほぼ同じであるが、本構成において内方フレーム１０１は、下方部分後パネル１０２と上方部分後パネル１０３をさらに含む。
【００９１】
内方フレーム１０１は、下方部分３０および上方部分３２を含む。内方フレーム１０１の下方部分３０は、下方部分前パネル３３、下方部分前パネル３３の対向する側部から延びた２つの対向する外方下方部分側部パネル部材３４ａ、３５ａおよび下方部分前パネル３３の下方端部から延びた下方パネル３６を有する。下方部分後パネル１０２は、下方パネル３６の対向する側部から下方部分前パネル３３へと延び、２つの対向する内方下部側部パネル部材３４ｂ、３５ｂは、下方部分後パネル１０２の対向する側部から延びている。
【００９２】
内方フレーム１０１の上方部分３２は、上方部分前パネル３８、上方部分前パネル３８の対向する側部から延びた２つの対向する外方上方部分側部パネル部材３９ａ、４０ａおよび上方部分前パネル３８の上端から延びた外方上方部分上方パネル部材４２ａを有する。上方部分後パネル１０３は、下部後パネル１０２から延び、パッケージが組み立てられた際に外方フレームのヒンジ線２４に接して、これと平行に延びる内方ヒンジ線１０４によって下方部分後パネル１０２に接合され、これにより蓋３はヒンジ線を中心にヒンジ式に動く。
【００９３】
内方上方部分上方パネル部材４２ｂは、上方部分後パネル１０３から延び、２つの対向する内方上方部分側部パネル部材３９ｂ、４０ｂは、上部後パネル１０３の対向する側部から延びている。下方部分後パネル１０２および上方部分後パネル１０３は、それぞれ内方フレーム１０２のパネル部材である。
【００９４】
パッケージが組み立てられる際、各外方下方部分側部パネル部材３４ａ、３５ａは、各対応する内方下方部分側部パネルエレメント３４ｂ、３５ｂと重なり、接着剤を使用して貼り付けられ、下方部分側部パネル３４、３５を形成する。同様に外方上方部分側部パネル部材３９ａ、４０ａは、各対応する内方上方部分側部パネル部材３９ｂ、４０ｂと重なり、接着剤を使用して貼り付けられ、上方部分側部パネル３９、４０を形成する。外方上方部分上方パネル部材４２ａもまた内方上方部分上方パネル部材４２ｂと重なり、接着剤を使用して貼り付けられ、上方部分上部パネル４２を形成する。内方フレーム１０１の各パネルは、各パネルを対応する外方フレーム１００のパネルの内面にのり付けするために接着剤を使用して対応する外方フレーム１００のパネルに貼り付けられる。従って、内方フレーム１０１の下方部分３０は、容器２に固定され、内方フレーム１０１の上方部分３２は、蓋３に固定される。蓋が閉じられている際にパックに収容されている喫煙品を完全に覆う内方フレームの利点は、２重の膜を設けることによって、汚染物の進入が減少するということである。
【００９５】
パッケージがその閉じた状態にあるとき、蓋３はシェル４によって画定された喫煙品収容スペース２５を囲い、外方フレーム５の対応する前パネル７と側部パネル９、１０を越えて突出する内方フレーム６の下方部分３０の前パネル３３と側部パネル３４、３５のセクションは、蓋３内に収容され、蓋３の前パネル１６および側部パネル１８、１９それぞれに接して位置する。上方部分前パネル３８は、当接線４３に沿って下方部分前パネル３３と当接する。外方上方部分側部パネル部材３９ａ、４０ａは、それぞれ当接線１０５および１０６に沿って対応する外方下方部分側部パネル３４ａ、３５ａと当接する。当接線４３、１０５、１０６は、内方フレーム６の下方および上方部分３０、３２間の接合部４６の線全体からなるセクションを形成する。同様に内方上方部分側部パネル部材３９ｂ、４０ｂは、それぞれ当接線１０７および１０８に沿って対応する内方下方部分側部パネル３４ｂ、３５ｂと当接する。
【００９６】
パッケージ１が組み立てられると、パッケージを最初に開封する前においては内方フレームの下方部分３０は、内方フレームの接合線４６に沿って内方フレームの上方部分３２に貼り付けられている。即ち、下方部分前パネル３３は、当接線４３に沿って上方部分前パネル３８に貼り付けられており、下方部分側部パネル部材３４ａ、３５ａは、対応する当接線１０５、１０６に沿って上方部分側部パネル部材３９ａ、４０ａに貼り付けられている。内方フレームの接合線４６は、内方フレーム６のブランクの弱化された線によって形成されている。本実施態様では内方フレーム５は、一枚のシート材、例えば板紙から形成され、これはブランクの材料自体を介した汚染物の進入を防ぐために、ある物質でコート、ラミネートまたは含浸されてもよい。弱化された線は、ブランク材の一枚のシートに刻みをつける、または部分的に切れ目を入れることによって形成される薄化された線である。これとは別に薄化された線は、内方フレーム５を通って形成された一連のパーフォレーションによって形成される。
【００９７】
しかしながら、内方上方部分側部パネル部材３９ｂ、４０ｂは、それぞれ当接線１０７および１０８に沿って対応する内方下方部分側部パネル３４ｂ、３５ｂに貼り付けられていない。従って、蓋を最初に開けるために必要な力は、ユーザーが単独の弱化された線だけを分離する必要があるので、小さくなる。
【００９８】
本実施態様の内方フレーム１０１は、内方上方部分側部パネル部材３９ｂと内方上方部分上部パネル部材４２ｂの間を延びた上方部分後パネル１０３の上方の角１１１に設けられた進入制限フラップ１１０を有する。同様に進入制限フラップ１１２がもう一方の内方上方部分側部パネル部材４０ｂおよび内方上方部分上方パネル部材４２ｂの間を延びる上方部分後パネル１０３のもう一方の上方の角１１３に設けられている。
【００９９】
進入制限フラップ１１４が内方下方部分側部パネル部材３４ｂと下方部分下方パネル３６の間を延びる下方部分後パネル１０２の下方の角１１５に設けられている。同様に進入制限フラップ１１６がもう一方の内方下方部分側部パネル部材３５ｂと下方部分下方パネル３６の間を延びた下方部分後パネル１０２のもう一方の下方の角１１７に設けられている。外方パネル部材と重なる内方パネル部材から延びた進入制限フラップを設けることは、内方フレームとパッケージの組み立てに役立つ。
【０１００】
上記実施態様は、喫煙品が収容されるパッケージについて記載し、例示しているが、当然のことながら 本発明は、これに限定されるものではなく、パッケージは、他の物品、製品および品を収容するために使用してもよい。
【０１０１】
本発明の実施態様を示し、例示したが、当業者には当然のことながら、上記例示した実施態様に以下の特許請求の範囲で定義する本発明の範囲内で変更を加えることが可能である。
【図１】
2015501764.tif 000003
【図２】
2015501764.tif 000004
【図３】
2015501764.tif 000005
【図４】
2015501764.tif 000006
【図５】
2015501764.tif 000007
【図６】
2015501764.tif 000008
【図７】
2015501764.tif 000009
【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
喫煙品を収容する容器（２）と、容器にヒンジ式に取り付けられた蓋（３）であって、蓋が閉じているとき容器によって画定された喫煙品用のスペースを囲む蓋と、蓋を最初に開ける前に蓋と容器の間の接合部に沿って画定された弱化された線（２９）と、弱化された線の内面に沿って配され、この線に作用して接続部に沿って容器から蓋を分離するように構成され、蓋をパックに対してヒンジ式に動かせるようにする開封手段（９０）とを含む喫煙品用パッケージ。
【請求項２】
蓋（３）は、蓋用パネル部材（１６、１８、１９）を含み、容器（２）は、容器用パネル部材（７、９、１０）を含み、弱化された線（２９）が蓋パネル部材と容器パネル部材の間に画定されていることを特徴とする請求項１に記載のパッケージ。
【請求項３】
蓋パネル部材（１６、１８、１９）と容器パネル部材（７、９、１０）は、パッケージを最初に開封する前に一体に形成されていることを特徴とする請求項２に記載のパッケージ。
【請求項４】
蓋パネル部材（１６、１８、１９）と容器パネル部材（７、９、１０）は、パッケージを最初に開封する前に一枚のシート材から形成されていることを特徴とする請求項３に記載のパッケージ。
【請求項５】
弱化された線（２９）は、前記一枚のシート材に形成された薄化された線であることを特徴とする請求項４に記載のパッケージ。
【請求項６】
薄化された線は、一枚のシート材に形成された部分的に切断された、または長尺の溝であることを特徴とする請求項５に記載のパッケージ。
【請求項７】
開封手段（９０）は、一枚のシート材の内面に沿って配されていることを特徴とする請求項６に記載のパッケージ。
【請求項８】
前記一枚のシート材は、ある物質でコート、ラミネートまたは含浸されていることを特徴とする請求項４乃至７いずれか１項に記載のパッケージ。
【請求項９】
蓋パネル部材は、蓋前パネル（１６）であり、容器用パネル部材は容器前パネル（７）であり、蓋（３）は蓋前パネルから延びた側部パネル部材（１８、１９）をさらに含み、容器（２）は容器前パネルから延びた容器側部パネル部材（９、１０）をさらに含み、弱化された線（２９）は、蓋と容器側部パネル部材の間の接合部に沿って延びていることを特徴とする請求項２乃至８いずれか１項に記載のパッケージ。
【請求項１０】
開封手段（９０）は、可撓性のコードであることを特徴とする請求項１乃至９いずれか１項に記載のパッケージ。
【請求項１１】
外方フレーム（５、１００）と内方フレーム（６、１０１）をさらに含み、弱化された線（２９）は外方フレームに形成されていることを特徴とする請求項１乃至１０いずれか１項に記載のパッケージ。
【請求項１２】
開封手段（９０）はパッケージを最初に開封する前に内方フレーム（６、１０１）と外方フレーム（５、１００）の間に配されていることを特徴とする請求項１１に記載のパッケージ。
【請求項１３】
内方フレーム（６、１０１）は蓋（３）に貼り付けられた上方部分（３２）と容器に貼り付けられた下方部分（３０）を含み、弱化された線は、第１の弱化された線（２９）であり、第２の弱化された線（４６）は、パッケージを最初に開封する前に内方フレームの下方部分と上方部分の間の接合部に沿って画定されていることを特徴とする請求項１２に記載のパッケージ。
【請求項１４】
第２の薄化された線（４６）は、第１の薄化された線（２９）からオフセットしていることを特徴とする請求項１３に記載のパッケージ。
【請求項１５】
蓋（３）は、上部パネル（２２）を有し、容器（２）は底部パネル（１４）を有し、内方フレーム（６）の上方部分（３２）は上部パネル（２２）に貼り付けられ、下方部分（３０）は底部パネル（１４）に貼り付けられることを特徴とする請求項１３または１４に記載のパッケージ。
【請求項１６】
内方フレーム（６、１０１）は一枚のシート材で形成されていることを特徴とする請求項１１乃至１５いずれか１項に記載のパッケージ。
【請求項１７】
内方フレーム（６、１０１）は、ある物質でコート、ラミネートまたは含浸されていることを特徴とする請求項１６に記載のパッケージ。
【請求項１８】
第１縁部（５５、７３）を有する第１パネル部材（９ｂ、１０ｂ、１８ｂ、１９ｂ、３４、３４ｂ、３５、３５ｂ、３９、３９ｂ、４０、４０ｂ）および第２縁部（５６、７４）を有する第２パネル部材（１４ｂ、２２、３６、４２、４２ｂ）をさらに含み、フラップ（５４、６４、６６、６８、７２、８１、８３、８５、１１０、１１２、１１４、１１６）が第１縁部および第２縁部から延び、パッケージが組み立てられる際に第１および第２縁部は互いに接合されることを特徴とする請求項１に記載のパッケージ。
【請求項１９】
喫煙品を収容することができるシェルを含み、このシェルは、第１縁部（５５、７３）を有する第１パネル部材（９ｂ、１０ｂ、１８ｂ、１９ｂ、３４、３４ｂ、３５、３５ｂ、３９、３９ｂ、４０、４０ｂ）および第２縁部（５６、７４）を有する第２パネル部材（１４ｂ、２２、３６、４２、４２ｂ）、第１縁部および第２縁部から延びたフラップ（５４、６４、６６、６８、７２、８１、８３、８５、１１０、１１２、１１４、１１６）を有し、第１および第２縁部は、パッケージが組み立てられる際に互いに接合される喫煙品用パッケージ。
【請求項２０】
フラップ（５４、６４、６６、６８、７２、８１、８３、８５、１１０、１１２、１１４、１１６）は、第１パネル部材（９ｂ、１０ｂ、１８ｂ、１９ｂ、３４、３４ｂ、３５、３５ｂ、３９、３９ｂ、４０、４０ｂ）および第２パネル部材（１４ｂ、２２、３６、４２、４２ｂ）と一体に形成されていることを特徴とする請求項１９に記載のパッケージ。
【請求項２１】
第１折り曲げ線は、第１パネル部材とフラップの間で第１縁部に沿って画定され、第２折り曲げ線は、第２パネル部材とフラップの間で第２縁部に沿って画定され、フラップは第１および第２パネル部材に対して第１および第２の折り曲げ線を中心に折り曲げ可能になっていることを特徴とする請求項２０に記載のパッケージ。
【請求項２２】
フラップ（５４、６４、６６、６８、７２、８１、８３、８５、１１０、１１２、１１４、１１６）は、フラップセクションが互いに対して位置するようにパッケージが組み立てられる際にフラップの折り曲げ線（５７、７５）に沿って互いに折り曲げ可能な２つのフラップ部分（５８、５９、７６、７７）を含むことを特徴とする請求項２１に記載のパッケージ。
【請求項２３】
フラップ折り曲げ線（５７、７５）は、フラップと第１および第２パネル部材それぞれの間の折り曲げ線に対して４５度の角度で延びていることを特徴とする請求項２２に記載のパッケージ。
【請求項２４】
第１および第２折り曲げ線は、角（５３、６３、６５、６７、７０、８０、８２、８４、１１１、１１３、１１５、１１７）で交差してもよく、フラップ（５４、６４、６６、６８、７２、８１、８３、８５、１１０、１１２、１１４、１１６）がその角から延びていることを特徴とする請求項２１乃至２３いずれか１項に記載のパッケージ。
【請求項２５】
第３パネル部材（８、３３、１０２、１０３）をさらに含み、第１および第２パネル部材は、第３パネル部材の垂直縁部から延びていることを特徴とする請求項１９乃至２４いずれか１項に記載のパッケージ。
【請求項２６】
硬質の板紙材から形成されていることを特徴とする請求項１９乃至２５いずれか１項に記載のパッケージ。
【請求項２７】
喫煙品を収容する容器（２）と、容器にヒンジ式に取り付けられた蓋（３）であって、蓋を閉じた際に容器によって画定された喫煙品用のスペースを囲む蓋と、蓋を最初に開ける前に蓋と容器の間の接合部に沿って画定された弱化された線（２９）と、この線に作用して接続部に沿って容器から蓋を分離するように構成され、蓋をパックに対してヒンジ式に動かせるようにする開封手段（９０）とをさらに含むことを特徴とする請求項１９乃至２６いずれか１項に記載のパッケージ。
【請求項２８】
シェルは、外方フレーム（５、１００）および内方フレーム（６、１０１）を含み、第１および第２パネル部材（９ｂ、１０ｂ、１４ｂ、１８ｂ、１９ｂ、２２）およびフラップ（５４、６４、６６、６８）が外方フレームの一部を形成することを特徴とする請求項１９乃至２７いずれか１項に記載のパッケージ。
【請求項２９】
内方フレーム（６、１０１）は、第１内方縁部（７３）を有する第１内方フレームパネル部材（３４、３４ｂ、３５、３５ｂ、３９、３９ｂ、４０、４０ｂ）と、第２内方縁部（７４）を有する第２内方フレームパネル部材（３６、４２、４２ｂ）と、第１内方縁部および第２内方縁部から延びたフラップ（７２、８１、８３、８５、１１０、１１２、１１４、１１６）とを含み、パッケージが組み立てられる際に第１および第２内方縁部が接合されることを特徴とする請求項２８に記載のパッケージ。
【請求項３０】
シェルは外方フレーム （５、１００）および内方フレーム （６、１０１）を含み、第１および第２パネル部材（３４、３４ｂ、３５、３５ｂ、３６、３９、３９ｂ、４０、４０ｂ ４２）およびフラップ（７２、８１、８３、８５、１１０、１１２、１１４、１１６）が内方フレームの一部を形成することを特徴とする請求項１９乃至２７いずれか１項に記載のパッケージ。
【請求項３１】
内方フレーム（６、１０１）は、蓋（３）に貼り付けられる上方部分（３２）、容器（２）に貼り付けられる下方部分（３０）を含み、弱化された線（４６）は、パッケージを最初に開封する前に内方フレームの下方部分と上方部分の間の接合部に沿って画定されていることを特徴とする請求項２８乃至３０いずれか１項に記載のパッケージ。
【請求項３２】
外方フレーム（５）および内方フレーム（６）および蓋を閉じた位置に移動すると内方および外方フレームの間の開口部内に位置することが可能な蓋（３）の下側から延びたタブをさらに含むことを特徴とする請求項１乃至３１いずれか１項に記載のパッケージ。
【請求項３３】
喫煙品を収容する容器（２）と、容器にヒンジ式に取り付けられた蓋であって、蓋を閉じた際に容器によって画定された喫煙品用のスペースを囲む蓋（３）と、以下の内の２つ以上を含む喫煙品用パッケージ、
ａ）蓋を最初に開ける前に蓋と容器の間の接合部に沿って画定された弱化された線（２９）および弱化された線に作用して接合部に沿って容器から蓋を分離するように構成され、蓋をパックに対してヒンジ式に動かせるようにする開封手段（９０）、
ｂ）外方フレーム（５、１００）および内方フレーム（６、１０１）、内方フレームは蓋（３）に取り付けられた上方部分（３２）および容器（２）に取り付けられた下方部分（３０）を含み、弱化された線は、第１の弱化された線（２９）であり、第２の弱化された線（４６）は、パッケージを最初に開封する前に内方フレームの下方部分と上方部分の間の接合部に沿って画定されている、
ｃ）第１縁部（５５、７３）を有する第１パネル部材（９ｂ、１０ｂ、１８ｂ、１９ｂ、３４、３４ｂ、３５、３５ｂ、３９、３９ｂ、４０、４０ｂ）および第２縁部（５６、７４）を有する第２パネル部材（１４ｂ、２２、３６、４２、４２ｂ）、および第１縁部および第２縁部から延びているフラップ（５４、６４、６６、６８、７２、８１、８３、８５、１１０、１１２、１１４、１１６）であり、第１および第２縁部は、パッケージが組み立てられる際に互いに接合される、
ｄ）蓋を閉じた位置に移動すると、容器の開口部内に位置することが可能な蓋の下側から延びているタブ（４８、４９）、
ｅ）容器および／または蓋が、ある物質がコートされた、ラミネートされたまたは含浸させたシート材から形成されている、またはある程度形成されている。
【請求項３４】
請求項１乃至３３いずれか１項に記載の喫煙品用パッケージのブランク。
【請求項３５】
第１縁部（５５、７３）を有する第１パネル部材（９ｂ、１０ｂ、１８ｂ、１９ｂ、３４、３４ｂ、３５、３５ｂ、３９、３９ｂ、４０、４０ｂ）および第２縁部（５６、７４）を有する第２パネル部材（１４ｂ、２２、３６、４２、４２ｂ）、第１縁部および第２縁部から延びたフラップ（５４、６４、６６、６８、７２、８１、８３、８５、１１０、１１２、１１４、１１６）を含み、第１および第２縁部は、パッケージが組み立てられる際に互いに接合される喫煙品用パッケージのブランク。
【請求項３６】
喫煙品を収容するための容器（２）を形成するように構成されたセクションおよび容器によって画定される喫煙品用のスペースを囲むために容器にヒンジ式に取り付けられ、閉じた際に蓋（３）を形成するように構成されたセクションを含み、弱化された線（２９）が容器（２）を形成するように構成されたセクションと蓋（３）を形成するように構成されたセクションの間で接合部に沿って画定され、弱化された線が弱化された線の内面に沿って配された開封手段が弱化された線に作用する際に、容器を形成するように構成されたセクションと蓋を形成するように構成されたセクションを接合部に沿って分離するように構成されている喫煙品用パッケージのブランク。
【請求項３７】
蓋（３）に貼り付けられるように構成された上方部分（３２）と容器（２）に貼り付けられるように構成された下方部分（３０）とを含み、弱化された線（４６）が下方部分と上方部分（３０、３２）の間の接合部に沿って画定されている喫煙品用パッケージの内方フレームのブランク。
【請求項３８】
前記ブランクは、ある物質がコートされた、ラミネートされたまたは含浸させたシート材から形成されていることを特徴とする請求項３４乃至３７いずれか１項に記載の喫煙品用パッケージのブランク。
【請求項３９】
喫煙品を収容する容器（２）と、容器にヒンジ式に取り付けられた蓋（３）であって、蓋が閉じているとき容器によって画定された喫煙品用のスペースを囲む蓋と、蓋を最初に開ける前に蓋と容器の間の接合部に沿って画定された第１の弱化された線（２９）と、この線に作用して接続部に沿って容器から蓋を分離するように構成され、蓋をパックに対してヒンジ式に動かせるようにする開封手段（９０）とを含み、外方フレーム（５、１００）と内方フレーム（６、１０１）を有し、第１の弱化された線（２９）が外方フレームに形成され、内方フレーム（６、１０１）は、蓋（３）に貼り付けられる上方部分（３２）、容器（２）に貼り付けられる下方部分（３０）を含み、弱化された線（４６）は、パッケージを最初に開封する前に内方フレームの下方部分と上方部分の間の接合部に沿って画定されている喫煙品用パッケージ。
【請求項４０】
開封手段（９０）はパッケージを最初に開封する前に内方フレーム（６、１０１）と外方フレーム（５、１００）の間に配されていることを特徴とする請求項３９に記載のパッケージ。
【請求項４１】
第２の薄化された線（４６）は、第１の薄化された線（２９）からオフセットしていることを特徴とする請求項３９または４０に記載のパッケージ。
【請求項４２】
蓋（３）は、上部パネル（２２）を有し、容器（２）は底部パネル（１４）を有し、内方フレーム（６）の上方部分（３２）は上部パネル（２２）に貼り付けられ、下方部分（３０）は底部パネル（１４）に貼り付けられることを特徴とする請求項３９乃至４１いずれか１項に記載のパッケージ。
【請求項４３】
内方フレーム（６、１０１）は一枚のシート材で形成されていることを特徴とする請求項３９乃至４２いずれか１項に記載のパッケージ。
【請求項４４】
内方フレーム（６、１０１）は、ある物質でコート、ラミネートまたは含浸されていることを特徴とする請求項４３に記載のパッケージ。
【請求項４５】
喫煙品を収容する容器（２）と、容器にヒンジ式に取り付けられた蓋（３）であって、蓋が閉じているとき容器によって画定された喫煙品用のスペースを囲む蓋と、蓋を最初に開ける前に蓋と容器の間の接合部に沿って画定された弱化された線（２９）と、この線に作用して接続部に沿って容器から蓋を分離するように構成され、蓋をパックに対してヒンジ式に動かせるようにする開封手段（９０）とを含み、蓋（３）は、蓋用パネル部材（１６、１８、１９）を含み、容器（２）は、容器用パネル部材（７、９、１０）を含み、蓋パネル部材と容器パネル部材は、パッケージを最初に開封する前に一枚のシート材から一体に形成され、弱化された線（２９）が蓋パネル部材と容器パネル部材の間に画定され、前記一枚のシート材は、ある物質でコート、ラミネートまたは含浸されている喫煙品用パッケージ。
【国際調査報告】
2015501764.tif 000010
2015501764.tif 000011